(57)【要約】【課題】ドア側の磁石に仮止め機構、および所望によりロック機構が設けられた戸当りであって、磁石などがドアの表面に突出しないでドア内部に収納することができ、しかもドアと床との間隙のバラつきに柔軟に対応することができる戸当りを提供する。【解決手段】床側の揺動自在の磁性体プレートと係合するフックおよびその付勢手段が、磁石のケーシングに収容されており、ケーシングがドア内部に収納され得るように、ケーシングの厚さが、ドアの厚さよりも薄くなるように設定されている戸当り。ケーシングの高さが、ドア内部に形成される座ぐり穴の上下方向の深さよりも小さくなるように設定されており、ケーシングには、上下方向に延びる少なくとも１個の貫通した長孔が形成され、該長孔に木ねじを挿入することにより、当該ケーシングを所望の高さに調整して前記ドア内部に取り付けることができる。【選択図】図１
2005105801.tif 000002
【特許請求の範囲】
【請求項１】
（ａ）床面に固定された台座と、
（ｂ）磁性体からなり、前記台座に上下に揺動自在に取り付けられたプレートと、
（ｃ）ドアに固定された磁石と、
（ｄ）前記磁石に取り付けられ、前記プレートと係合するフックと、
（ｅ）前記フックを前記プレートと係合する方向へ付勢する付勢手段とからなり、
前記フックおよび前記付勢手段が、前記磁石のケーシングに収容されており、当該ケーシングが前記ドア内部に収納され得るように、前記ケーシングの厚さが、前記ドアの厚さよりも薄くなるように設定され、さらに、前記ケーシングの高さが、前記ドア内部に形成される座ぐり穴の上下方向の深さよりも小さくなるように設定され、当該ケーシングを所望の高さに調整して前記ドア内部に取り付けることができる戸当り。
【請求項２】
前記ケーシングには、上下方向に延びる少なくとも１個の貫通した調整孔が形成され、該調整孔に固着手段を挿入することにより、当該ケーシングを所望の高さに調整して前記ドア内部に取り付けることができる請求項１記載の戸当り。
【請求項３】
（ａ）床面に固定された台座と、
（ｂ）磁性体からなり、前記台座に上下に揺動自在に取り付けられたプレートと、
（ｃ）ドアに固定された磁石と、
（ｄ）前記磁石に取り付けられ、前記プレートと係合するフックと、
（ｅ）前記フックを前記プレートと係合する方向へ付勢する付勢手段と、
（ｆ）前記フックを前記プレートと係合した位置でロックするための水平方向へスライド可能な水平スライド部材と、
（ｇ）前記水平スライド部材を外部から操作するための操作部とからなり、
前記フックおよび前記付勢手段が、前記磁石とともにケーシングに収容されており、当該ケーシングが前記ドア内部に収納され得るように、前記ケーシングの厚さが、前記ドアの厚さよりも薄くなるように設定されてなる戸当り。
【請求項４】
（ａ）床面に固定された台座と、
（ｂ）磁性体からなり、前記台座に上下に揺動自在に取り付けられたプレートと、
（ｃ）ドアに固定された磁石と、
（ｄ）前記磁石に取り付けられ、前記プレートと係合するフックと、
（ｅ）前記フックを前記プレートと係合する方向へ付勢する付勢手段と、
（ｆ）前記フックを前記プレートと係合した位置でロックするための水平方向へスライド可能な水平スライド部材と、
（ｇ）前記水平スライド部材を外部から操作するための操作部とからなり、
前記フックおよび前記付勢手段が、前記磁石とともにケーシングに収容されており、当該ケーシングが前記ドア内部に収納され得るように、前記ケーシングの厚さが、前記ドアの厚さよりも薄くなるように設定され、さらに、前記ケーシングの高さが、前記ドア内部に形成される座ぐり穴の上下方向の深さよりも小さくなるように設定され、当該ケーシングを所望の高さに調整して前記ドア内部に取り付けることができる戸当り。
【請求項５】
前記水平スライド部材には、少なくとも１個の凸部が設けられ、前記フックの上部には、前記凸部の通過を許すための水平方向に延びる水平通路が形成され、
（１）前記フックが前記プレートに係合していない状態では、前記フックの水平通路が前記水平スライド部材の凸部よりも高い位置にあることにより、前記水平スライド部材の水平移動および前記操作部の操作を禁止し、
（２）前記フックが前記プレートと係合するときに、前記フックが下降して、前記フックの水平通路が前記水平スライド部材の凸部とほぼ同じ高さになることにより、前記水平スライド部材がスライド可能の状態になり、
（３）前記水平スライド部材がスライド可能な状態において、前記操作部を外部から操作して、前記水平スライド部材の凸部を前記フックの水平通路内部へ移動させることにより、前記フックを前記プレートと係合した位置でロックするようにされてなる請求項３または４記載の戸当り。
【請求項６】
前記水平スライド部材の凸部が、前記フックの水平通路の両側に一対設けられてなる請求項３または４記載の戸当り。
【請求項７】
前記操作部が、前記水平スライド部材を水平方向へ押圧するための操作ロッドと、
該操作ロッドの根元側端部に当接する斜面が形成され、前記操作ロッドを伸長させるためにスライド操作されるロックボタンと、
前記ロックボタンをロック位置およびロック解除位置に一時的に係止するための係止部
とからなる請求項３または４記載の戸当り。
【発明の詳細な説明】
【技術分野】
【０００１】
本発明は戸当りに関する。さらに詳しくは、ドア側の磁石と床面に揺動自在に設置された磁性体からなるプレートとを吸着させることにより、ドアを全開位置に固定することができ、さらに磁石に吸着されたプレートを仮止め、および所望により強固なロックを行なうことができる戸当りであって、磁石がドアの表面に突出しないでドア内部に収納することができ、しかもドアと床との間隙のバラつきに柔軟に対応することができる戸当りに関する。
【背景技術】
【０００２】
一般的に用いられる床に立設される戸当りは、歩行者がつまづいたり、ドア周囲の家具が衝突するなどの不具合がある。そのため、従来より、床から出没自在の戸当りが種々検討されており、たとえば磁石を用いた出没自在の戸当りなどがある。このような磁石を用いた戸当りは、たとえば特許文献１および２に記載されているように、床面に揺動自在に設置された磁性体プレートを、ドア側の磁石に吸着させることによりドアを全開位置に固定している。
【０００３】
また、本出願人は、さきに出願した特願２００２−１８３０３８号の明細書に記載されているように、ドア側の磁石に吸着されたプレートをさらに仮止めおよび強固なロックを両方行なうことができる戸当りを提案している。
【０００４】
【特許文献１】特許第２９９０６０１号公報
【特許文献２】特開平１０−１１５１３９号公報
【発明の開示】
【発明が解決しようとする課題】
【０００５】
しかし、従来の磁石を用いた戸当りは、磁石がドアの表面に突出するため、美観上好ましくないという問題がある。とくに、磁石に仮止め機構およびロック機構を設けた場合、磁石全体がさらに大きくなるため、磁石が一層目立ってしまい美観上好ましくない。また、磁石をドア内部に形成された座ぐり穴などに埋め込んで固着する場合、ドアの取付誤差などによって生じる、ドアと床との間隙のバラつきに柔軟に対応することができないという問題がある。
【０００６】
本発明はかかる問題を解消するためになされたものであり、ドア側の磁石に仮止め機構、および所望によりロック機構が設けられた戸当りであって、磁石などがドアの表面に突出しないでドア内部に収納することができ、しかもドアと床との間隙のバラつきにも柔軟に対応することができる戸当りを提供することを目的とする。
【課題を解決するための手段】
【０００７】
本発明の請求項１にかかわる戸当りは、（ａ）床面に固定された台座と、
（ｂ）磁性体からなり、前記台座に上下に揺動自在に取り付けられたプレートと、
（ｃ）ドアに固定された磁石と、
（ｄ）前記磁石に取り付けられ、前記プレートと係合するフックと、
（ｅ）前記フックを前記プレートと係合する方向へ付勢する付勢手段とからなり、
前記フックおよび前記付勢手段が、前記磁石のケーシングに収容されており、当該ケーシングが前記ドア内部に収納され得るように、前記ケーシングの厚さが、前記ドアの厚さよりも薄くなるように設定され、さらに、前記ケーシングの高さが、前記ドア内部に形成される座ぐり穴の上下方向の深さよりも小さくなるように設定され、当該ケーシングを所望の高さに調整して前記ドア内部に取り付けることができることを特徴とする。
【０００８】
前記ケーシングには、上下方向に延びる少なくとも１個の貫通した調整孔が形成され、該調整孔に固着手段を挿入することにより、当該ケーシングを所望の高さに調整して前記ドア内部に取り付けることができるのが好ましい。
本発明の請求項３にかかわる戸当りは、（ａ）床面に固定された台座と、
（ｂ）磁性体からなり、前記台座に上下に揺動自在に取り付けられたプレートと、
（ｃ）ドアに固定された磁石と、
（ｄ）前記磁石に取り付けられ、前記プレートと係合するフックと、
（ｅ）前記フックを前記プレートと係合する方向へ付勢する付勢手段と、
（ｆ）前記フックを前記プレートと係合した位置でロックするための水平方向へスライド可能な水平スライド部材と、
（ｇ）前記水平スライド部材を外部から操作するための操作部とからなり、
前記フックおよび前記付勢手段が、前記磁石とともにケーシングに収容されており、当該ケーシングが前記ドア内部に収納され得るように、前記ケーシングの厚さが、前記ドアの厚さよりも薄くなるように設定されてなることを特徴とする。
【０００９】
本発明の請求項４にかかわる戸当りは、（ａ）床面に固定された台座と、
（ｂ）磁性体からなり、前記台座に上下に揺動自在に取り付けられたプレートと、
（ｃ）ドアに固定された磁石と、
（ｄ）前記磁石に取り付けられ、前記プレートと係合するフックと、
（ｅ）前記フックを前記プレートと係合する方向へ付勢する付勢手段と、
（ｆ）前記フックを前記プレートと係合した位置でロックするための水平方向へスライド可能な水平スライド部材と、
（ｇ）前記水平スライド部材を外部から操作するための操作部とからなり、
前記フックおよび前記付勢手段が、前記磁石とともにケーシングに収容されており、当該ケーシングが前記ドア内部に収納され得るように、前記ケーシングの厚さが、前記ドアの厚さよりも薄くなるように設定され、さらに、前記ケーシングの高さが、前記ドア内部に形成される座ぐり穴の上下方向の深さよりも小さくなるように設定され、当該ケーシングを所望の高さに調整して前記ドア内部に取り付けることができることを特徴とする。
【００１０】
前記水平スライド部材には、少なくとも１個の凸部が設けられ、前記フックの上部には、前記凸部の通過を許すための水平方向に延びる水平通路が形成され、
（１）前記フックが前記プレートに係合していない状態では、前記フックの水平通路が前記水平スライド部材の凸部よりも高い位置にあることにより、前記水平スライド部材の水平移動および前記操作部の操作を禁止し、
（２）前記フックが前記プレートと係合するときに、前記フックが下降して、前記フックの水平通路が前記水平スライド部材の凸部とほぼ同じ高さになることにより、前記水平スライド部材がスライド可能の状態になり、
（３）前記水平スライド部材がスライド可能な状態において、前記操作部を外部から操作して、前記水平スライド部材の凸部を前記フックの水平通路内部へ移動させることにより、前記フックを前記プレートと係合した位置でロックするようにされてなるのが好ましい。
【００１１】
前記水平スライド部材の凸部が、前記フックの水平通路の両側に一対設けられてなるのが好ましい。
【００１２】
前記操作部が、前記水平スライド部材を水平方向へ押圧するための操作ロッドと、
該操作ロッドの根元側端部に当接する斜面が形成され、前記操作ロッドを伸長させるためにスライド操作されるロックボタンと、
前記ロックボタンをロック位置およびロック解除位置に一時的に係止するための係止部
とからなるのが好ましい。
【発明の効果】
【００１３】
本発明によれば、ドア側の磁石に仮止め機構のみ、または仮止め機構およびロック機構が設けられた戸当りであって、磁石などがドアの表面に突出しないでドア内部に収納することができ、しかも、ドアと床との間隙のバラつきに柔軟に対応することができる。
【発明を実施するための最良の形態】
【００１４】
つぎに図面を参照しながら本発明の戸当りを詳細に説明する。図１は本発明の戸当りの一実施の形態を示す斜視説明図、図２は図１に示される戸当り本体の断面説明図、図３は図１に示される磁石の断面説明図、図４は図３に示されるフックおよび水平スライド部材の位置関係を示す説明図、図５は図１の操作部の初期状態を示す断面説明図、図６は図１の操作部のロック状態を示す断面説明図、図７は図５のロックボタンを内側から見た図、図８は図５の裏蓋を内側から見た図、図９は図５の操作ロッドの側面図、図１０は図１に示される磁石を収容するケーシングが木ねじで固着された状態を示す断面説明図、図１１は図１に示されるプレートが磁石から離れているときの状態を示す断面説明図、図１２は図１に示されるプレートが磁石に吸着された状態を示す断面説明図、図１３は図１に示されるプレートがフックに係合された仮止め状態を示す断面説明図および図１４は本発明の戸当りの他の実施の形態における操作部の断面説明図である。
【００１５】
図１に示される戸当りは、大きく分けて床面に設置された本体部分１と、ドアＤに収納された磁石２および操作部３とから構成されている。
【００１６】
本体部分１は、図１および図２に示されるように、床面にネジなどで固定されたナイロン、ポリアセタールなどのエンジニアリング樹脂や亜鉛合金などからなる台座４に、鉄やスチールなどの磁性体からなるプレート５が回転軸５ａを回転中心として、揺動自在に取り付けられている。プレート５の先端には、下方に突出する下方突起５ｂが設けられている。本体部分１の設置方法は、本発明においてとくに限定されるものではなく、図１に示されるように床面に設置してもよいし、または床に形成される埋設穴に埋設してもよい。
【００１７】
磁石２および操作部３は、ドアＤに収納され得るように、ドアＤの厚さよりも薄くなるように設定されている。
【００１８】
磁石２は、図３に示されるように、ケーシング６に、磁石本体７、プレート５と係合するフック８、当該フック８をプレート５と係合する方向へ付勢する圧縮コイルバネ９、フック８をプレート５と係合した位置でロックするための水平スライド部材１０が収容されたものである。
【００１９】
ケーシング６の厚さは、図１１に示されるように、ケーシング６がドアＤ内部に収納され得るように、ドアＤの厚さよりも薄くなるように設定されている。さらに、ケーシング６の高さは、ドアＤ内部に形成された、座ぐり穴Ｓ（図１１参照）の上下方向の深さよりも小さくなるように設定されている。
【００２０】
さらに、図３および図１０に示されるように、ケーシング６には、上下方向に延びる少なくとも１個、好ましくは対角線上に配置された２個の貫通した調整孔である長孔６ａが形成され、該長孔６ａに固着手段である木ねじＷを挿入し、ケーシング６を所望の高さに位置合わせしたのち、木ねじＷをドアＤの座ぐり穴Ｓの奥端部に挿入することにより、ケーシング６を所望の高さに調整してドア内部に取り付けることができる。その結果、ドアと床との間隙のバラつきにも柔軟に対応することができる。たとえば、通常２．５ｍｍ程度に設定されているドアと床との間隙が、ドアの取付け位置が上方へずれたことによって間隔が３．５ｍｍになった場合でも、ケーシング６を長孔６ａに沿って１ｍｍ程度下降させればドアの上昇分を相殺し、磁石２を所定の高さへ調整することができる。調整孔としては、前記長孔以外にも長方形の孔であってもよく、固着手段の挿入位置を調整できるものであれば、他の形状であってもよい。また、固着手段としては、木ねじ以外にもくぎや接着剤を用いることができる。接着剤の場合、調整孔は不要である。
【００２１】
磁石本体７は永久磁石からなり、ケーシング６内部に収容されており、当該ケーシング６の壁を介して前記プレート５に磁力をおよぼすように構成されている。
【００２２】
フック８は、図２に示されるように、前記プレート５の先端の下方突起５ｂと係合し得る上向きに突出したかぎ部８ａを有している。フック８の中央部には、圧縮コイルバネ９の上端に係合する係合突起８ｂが突設されている。また、フック８の前面において、係合突起８ｂの上部には、水平方向（フック８の幅方向。図３において、紙面垂直方向）に延びる水平通路８ｃが形成されている。
【００２３】
フック８を用いてプレート５を仮止めすることにより、磁石２の吸着力の強弱にかかわらず容易かつ確実にドアＤの仮止めが可能になる。このフック８によりプレート５が磁石２に吸着された状態では、フック８は圧縮コイルバネ９の付勢力に抗して下方に移動し得るので、前記プレート５は引き抜き可能な程度の弱い係止力で一時的に磁石に係止される。
【００２４】
水平スライド部材１０は、磁石２のケーシング６に形成された凹部６ｂにスライド可能に収容されている。水平スライド部材１０は、少なくとも１個の凸部１１が設けられている。凸部１１は、前記フック８の水平通路８ｃ内部に移動することにより、フック８をプレート５に係合した状態から下降できないようにロックすることができる。
【００２５】
具体的には、図４（ａ）に示されるように、フック８が前記プレート５に係合していない状態では、フック８の水平通路８ｃが水平スライド部材１０の凸部１１よりも高い位置にあることにより、水平スライド部材１０の水平移動および前記操作部３の操作を禁止する。このとき、水平通路８ｃの中心の高さが、凸部１１の中心の高さよりも少しだけ高ければよく、水平通路８ｃの全体が凸部１１よりも高くなくてもよい。
【００２６】
ついで、図４（ｂ）に示されるように、フック８がプレート５と係合するときに（図１３参照）、フック８が下降して、フック８の水平通路８ｃが水平スライド部材１０の凸部１１とほぼ同じ高さになることにより、水平スライド部材１０がスライド可能の状態になる。
【００２７】
前記水平スライド部材１０がスライド可能な状態において、図４（ｃ）に示されるように、後述する操作部３を外部から操作して操作ロッド１９によって水平スライド部材１０を水平方向に押圧することにより、水平スライド部材１０の凸部１１をフック８の水平通路８ｃ内部へ移動させることができる。それにより、前記フック８を前記プレート５と係合した位置でロックすることができる。
【００２８】
本発明の戸当りは、フック８がドアの仮止めおよび強固なロックの両方を行なうので、従来のように仮止め機構およびロック機構を別々に設ける必要がなく、装置全体を小型化することが可能である。
【００２９】
さらに、本実施の形態では、図３に示されるように、水平スライド部材１０を元の位置に復帰させるための圧縮コイルバネ１２が前記ケーシング６の凹部６ｂ内部に設けられているため、水平スライド部材１０が操作ロッド１９からの操作力を受けなくなったとき、図４（ｂ）に示されるように、凸部１１が水平通路８ｃから外れた位置まで復帰させることができる。
【００３０】
本実施の形態では、図１に示されるような右開きのドアＤのように磁石２の左側に操作部３が配置された例をあげて説明しているが、本発明はこれに限定されるものではなく、たとえば、磁石２の操作部３を右側に配置することにより、図示されない左開きのドアに対しても前述の右開きのドアＤと同様に用いることができる。また、本実施の形態の戸当りでは、ドアＤが左右いずれに開く場合にも対応できるように、図４に示されるように、凸部１１が水平通路８ｃの両側に一対設けられているため、操作ロッド１９で左右いずれの方向から水平スライド部材１０が押圧されても、凸部１１を水平通路８ｃ内部へ移動させてフック８をロックすることができる。したがって、図１に示されるような右開きのドアＤのように磁石２の左側に操作部３が配置される場合だけでなく、図示されない左開きのドアのように磁石２の右側に操作部３が配置される場合でも、操作部３を外部から操作することにより、フック８のロックおよび解除を行なうことができる。  操作部３は、外部から前記磁石２の水平スライド部材１０をロック位置（図４（ｃ）参照）へ押し操作するためのものであり、図１および図５〜６に示される操作部３では、ケーシング１５のドアＤの側面から外部に露出する外面１５ａの開口からは、スライド式のロックボタン１６が外部に突出し、ケーシング１５の内奥面側においては、裏蓋１８の貫通孔１８ａを通して操作ロッド１９が突出している。
【００３１】
具体的には、本実施の形態の操作部３は、図５〜６に示されるように、前記水平スライド部材１０を水平方向へ押圧するための操作ロッド１９と、操作ロッド１９の根元側の半球面を有する端部１９ａに当接する斜面２０が形成され、操作ロッド１９を伸長させるためにスライド操作されるロックボタン１６と、後述するロックボタン１６のための係止部２１と、操作ロッド１９をケーシング６内部へ戻す方向へ付勢力を与える操作ロッド付勢手段である圧縮コイルバネ２３とから構成されている。なお、ロックボタン１６が押し下げられているか否か、すなわちドアがロックされているか否かを視認しやすくするために、ロックボタン１６の外面の部分１６ａ（図６参照）を赤色などで着色してもよい。
【００３２】
ロックボタン１６の内面には、図５および図７に示されるように、山形の凹部が２２が形成され、この凹部２２の内面によって前述の斜面２０が構成されている。
【００３３】
ロックボタン１６を係止するための係止部２１は、図５に示されるように、ロックボタン１６の内面に形成された２箇所の凹部２４ａ、２４ｂ（図７参照）と、裏蓋１８に形成された突起２５（図８参照）とからなる。ロックボタン１６が図５〜６に示されるようにスライドすれば、凹部２４ａ、２４ｂと突起２５とが係合することにより、ロックボタン１６を所定のロック位置（図６参照）またはロック解除位置（図５参照）に正確に係止することができる。
【００３４】
また、図７に示されるように、ロックボタン１６の内面には、凹部２４ａと凹部２４ｂとのあいだに溝２４ｃが形成されているため、突起２５は、溝２４ｃによって凹部２４ａと凹部２４ｂとのあいだを正確に案内されるので、凹部２４ａ、２４ｂと突起２５との係合を確実に行なうことができる。
【００３５】
さらに、図８に示されるように、裏蓋１８における突起２５の両側部分には、一対のスリット２６が形成されているため、一対のスリット２６のあいだの細長い部分２７は、突起２５のための板バネとして機能することができる。したがって、突起２５は、部分２７が適度なクッションとなって、凹部２４、２５との係合および離脱を円滑に行なうことができる。
【００３６】
また、図９に示されるように、操作ロッド１９の根元側端部１９ａは、図９の紙面垂直方向に突出し、この垂直に突出している部分の下面には、操作ロッド１９をロック位置（図６参照）からロック解除位置（図５参照）へ復帰させる圧縮コイルバネ２３を取り付けるための取付穴１９ｂが形成されている。圧縮コイルバネ２３の上端部分は、取付穴１９ｂに下方から挿入されている。
【００３７】
さらに、操作ロッド１９の根元側端部１９ａは、図５および図８に示される裏蓋１８の貫通孔１８ａ周囲に形成された矩形穴１８ｂに挿入されている。そして、圧縮コイルバネ２３の下端部分は、矩形穴１８ｂの底面１８ｃに当接している。
【００３８】
つぎに、本実施の形態の戸当りの使用方法の一例を説明する。
【００３９】
図１、図４（ａ）および図１１に示されるプレート５が磁石から離れている初期状態、すなわちフック８がプレート５に係合していない状態では、フック８の水平通路８ｃが水平スライド部材１０の凸部１１よりも高い位置にあることにより、水平スライド部材１０の水平移動および前記操作部３の操作を禁止している。これにより、プレート５が磁石２に吸着される前に操作部３の誤動作（具体的には、水平スライド部材１０によってフック８を誤ってロックすること）を確実に防止することができる。
【００４０】
ついで、図１２に示されるように、図１の状態からそのままドアＤを開ければ、床に伏せてあったプレート５が、磁石２内の磁石本体７の磁力によって立ち上がり、磁石２の下面に吸着する。さらに、ドアＤを仮止めする場合には、図１３に示されるようにドアＤをさらに開放させれば、プレート５の先端に設けられた下方突起５ｂがフック８のかぎ部８ａに係合することにより、容易かつ確実にドアＤの仮止めを行なうことができる。したがって、荷物の搬入を行なう場合など、一時的にドアＤを全開位置に保持したいときに便利である。
【００４１】
また、図１３に示される状態では、フック８が若干下方に移動するため、フック８の水平通路８ｃが水平スライド部材１０の凸部１１とほぼ同じ高さになることにより、水平スライド部材１０がスライド可能の状態になる。
【００４２】
ドアＤの仮止めを解除するときは、図１３の状態からドアＤをそのまま閉じるだけで、プレート５はフック８との係合が解除されるとともに磁石２の下面から容易に抜け出し、ドアＤの仮止めは解除される。
【００４３】
なお、ドアＤがフック８によって仮止めされていなくても、ドアＤを全開位置まで開ければ、図１２に示されるようにプレート５が磁石２に吸着するので、ドアＤは弱い力で全開位置に保持され、フック８よりもさらに弱い保持力でドアＤを仮止めすることができる。
【００４４】
一方、強風が吹いているときなどドアＤを強固に開放状態にロックしたいときには、図６に示されるように、ロックボタン１６を指で下方へスライドさせれば、ロックボタン１６の斜面２０が操作ロッド１９の根元側端部１９ａをケーシング１５の内奥側へ付勢する。
【００４５】
ロックボタン１６が所定のロック位置までスライドされたとき、ロックボタン１６の凹部２４ａが裏蓋１８の突起２５に係合することにより、ロックボタン１６および操作ロッド１９は所定のロック位置で停止する。図６に示されるロック位置では、操作ロッド１９の根元側端部１９ａが、ロックボタン１６の当接面２８に当接している。
【００４６】
図６に示されるように操作ロッド１９が突出することによって、図４（ｃ）に示されるように、操作ロッド１９によって水平スライド部材１０を水平方向に押圧することにより、水平スライド部材１０の凸部１１をフック８の水平通路８ｃ内部へ移動させ、前記フック８を前記プレート５と係合した位置で強固にロックすることができる。その結果、ドアＤは、全開位置に容易かつ確実にロックされ、ドアＤに風が当っても不意に閉まることがなくなる。
【００４７】
一方、ドアＤのロックを解除したい場合には、図６に示される状態から、ロックボタン１６を上方へスライドさせれば、図６に示されるように、操作ロッド１９の根元側端部１９ａはロックボタン１６の斜面２０からのへ付勢力を受けなくなり、操作ロッド１９は圧縮コイルバネ２３の付勢力によって図５の初期位置まで戻され、フック８のロックは解除される。
【００４８】
フック８のロック解除後は図１３に示されるドアの仮止め状態に戻るため、若干の力を加えることで容易にドアＤを閉めることができる。そして、ドアＤを閉めたとき、プレート５はフック８から引き抜かれるため、フック８は若干上方へ移動して図４（ａ）の状態に戻るため、水平スライド部材１０の水平移動ならびにロックボタン１６の操作ができなくなる。
【００４９】
なお、以上の実施の形態では、操作ロッド１９をロック位置（図６参照）からロック解除位置（図５参照）へ復帰させる圧縮コイルバネ２３を備えた操作部を例にあげて説明しているが、本発明はこれに限定されるものではない。
【００５０】
たとえば、本発明の他の実施の形態として、図１４に示されるような圧縮コイルバネを有しない操作部を用いてもよい。この場合、操作ロッド１９によって押圧操作される水平スライド部材１０を元の位置へ復帰させるために、圧縮コイルバネ１２（図３参照）を備えているため、当該圧縮コイルバネ１２の付勢力によって、操作ロッド１９をロック位置からロック解除位置へ復帰させることができる。
【００５１】
以上の実施の形態では、仮止め機構およびロック機構が設けられた戸当りを例にあげて説明したが、本発明はこれに限定されるものではなく、仮止め機構のみが設けられた戸当りであってもよい。すなわち、本発明の他の実施の形態である戸当りは、（ａ）床面に固定された台座４と、（ｂ）磁性体からなり、前記台座４に上下に揺動自在に取り付けられたプレート５と、（ｃ）ドアに固定された磁石２と、（ｄ）前記磁石２に取り付けられ、前記プレート５と係合するフック８と、（ｅ）前記フック８を前記プレート５と係合する方向へ付勢する圧縮コイルバネ９とからなり、前記フック８および前記圧縮コイルバネ９が、前記磁石２のケーシング６に収容されており、当該ケーシング６が前記ドア内部に収納され得るように、前記ケーシング６の厚さが、前記ドアの厚さよりも薄くなるように設定され、さらに、前記ケーシング６の高さが、前記ドア内部に形成される座ぐり穴の上下方向の深さよりも小さくなるように設定され、前記ケーシング６には、上下方向に延びる少なくとも１個の貫通した長孔が形成され、該長孔に木ねじを挿入することにより、当該ケーシングを所望の高さに調整して前記ドア内部に取り付けることができる。このような構成によって、磁石２およびフック８などをドア内部に収納することができ、しかもドアと床との間隙のバラつきに柔軟に対応することができる。
【図面の簡単な説明】
【００５２】
【図１】本発明の戸当りの一実施の形態を示す斜視説明図である。
【図２】図１に示される戸当り本体の断面説明図である。
【図３】図１に示される磁石の断面説明図である。
【図４】図３に示されるフックおよび水平スライド部材の位置関係を示す説明図である。
【図５】図１の操作部の初期状態を示す断面説明図である。
【図６】図１の操作部のロック状態を示す断面説明図である。
【図７】図５のロックボタンを内側から見た図である。
【図８】図５の裏蓋を内側から見た図である。
【図９】図５の操作ロッドの側面図である。
【図１０】図１に示される磁石を収容するケーシングが木ねじで固着された状態を示す断面説明図である。
【図１１】図１に示されるプレートが磁石から離れているときの状態を示す断面説明図である。
【図１２】図１２は図１に示されるプレートが磁石に吸着された状態を示す断面説明図である。
【図１３】図１に示されるプレートがフックに係合された仮止め状態を示す断面説明図である。
【図１４】本発明の戸当りの他の実施の形態における操作部の断面説明図である。
【符号の説明】
【００５３】
１  本体部分
２  磁石
３  操作部
４  台座
５  プレート
７  磁石本体
８  フック
１０  水平スライド部材
【図１】
2005105801.tif 000003
【図２】
2005105801.tif 000004
【図３】
2005105801.tif 000005
【図４】
2005105801.tif 000006
【図５】
2005105801.tif 000007
【図６】
2005105801.tif 000008
【図７】
2005105801.tif 000009
【図８】
2005105801.tif 000010
【図９】
2005105801.tif 000011
【図１０】
2005105801.tif 000012
【図１１】
2005105801.tif 000013
【図１２】
2005105801.tif 000014
【図１３】
2005105801.tif 000015
【図１４】
2005105801.tif 000016